(57)【要約】      （修正有）【課題】コンバーターを内装しても、ＬＥＤチップの十分な冷却効果を発揮するＬＥＤライトを提供する。【解決手段】筒状部に放熱板を固定したＬＥＤライト本体１と、該ＬＥＤライト本体に内装したコンバーター７と、口金９と該ＬＥＤライト本体との間に設けた多数の排気口１０が形成された放熱体４と、前記ＬＥＤライト本体の下端若しくはＬＥＤライト本体内に固定したＬＥＤ板１５と、該ＬＥＤ板に固定された多数のＬＥＤチップ１６と、該ＬＥＤ板外周に形成した吸気口１９と、一端を該吸気口に固定し、多端は前記排気口に連通する細長いパイプとを具備することによって、ＬＥＤ点灯時に前記コンバーターから熱が発生すると、前記ＬＥＤライト本体内の熱せられた空気は、前記排気口より排出され、前記吸気口から空気が流入するのでＬＥＤチップを効果的に冷却することができる。【選択図】図１
0003175586.tif 000002
【実用新案登録請求の範囲】
【請求項１】
筒状部に放熱板を固定したLEDライト本体と、該LEDライト本体に内装したコンバーターと、口金と該LEDライト本体との間に設けた多数の排気口が形成された放熱体と、前記LEDライト本体の下端若しくはLEDライト本体内に固定したLED板と、該LED板に固定された多数のLEDチップと、該LED板外周に形成した吸気口と、一端を該吸気口に固定し、多端は前記排気口に連通する細長いパイプと、を具備したことを特徴とするLEDライト。
【請求項２】
前記口金と前記LEDライト本体との間には、多数の排気口を有する筒体を介装する請求項１記載のLEDライト。
【請求項３】
前記口金下端のフランジと前記LEDライト本体上端のフランジとを、前記多数の排気口を有する放熱体を介して連結する請求項1又は２記載のLEDライト。
【請求項４】
LED点灯時に前記コンバーターから熱が発生すると、前記LEDライト本体内の熱せられた空気は、前記排気口より排出され、この空気の移動により、前記吸気口から前記細長いパイプに空気が流入する請求項１〜３のいずれかに記載のLEDライト。
【請求項５】
前記コンバーターは、着脱可能に内装され、前記筒状部には、コンバーター交換用の扉が形成されている請求項１〜４のいずれかに記載のLEDライト。
【請求項６】
前記筒状部は、釣鐘状の空洞の上端に筒状の空洞が連設されている請求項１〜５のいずれかに記載のLEDライト。
【請求項７】
前記LED板を前記LEDライト本体の下端に固定し、前記LEDチップは、LED板下面に固定し、LEDチップ上面に固定したレンズから光が放射するように形成する請求項１〜６のいずれかに記載のLEDライト。
【請求項８】
前記LEDライト本体に、カバーを連結し、前記カバーの連結部近傍には吸気口を形成し、前記LED板は、カバーの該吸気口より上方に固定し、該カバー吸気口に前記LED板に固定した細長いパイプを固定する請求項１〜７のいずれかに記載のLEDライト。
【請求項９】
前記細長いパイプは、金属で形成されている請求項１〜７のいずれかに記載のLEDライト。
【請求項１０】
前記細長いパイプは、４個以上連結する請求項１〜８のいずれかに記載のLEDライト。
【考案の詳細な説明】
【技術分野】
【０００１】
本考案は、コンバーターを内付けとし、LED点灯時にコンバーターにより内部の温度が上昇しても、十分な放熱効果が得られるようにして、LEDの寿命が短くならないようにしたLEDライトに関する。
【背景技術】
【０００２】
LED（発光ダイオード）を用いた照明灯は、従来の照明灯と比べ、省エネルギー性に優れている。そのため、原発事故に起因する電源不足の問題が高まる昨今、LED照明灯に対する重要性が高まってきている。
【０００３】
従来、LEDライトは、口金に放熱板を外装した部材を連結し、該放熱部材に半球状のカバーを連結し、内部にLEDモジュールを装着することにより形成されている。しかしながら、これにコンバーターを内装すると、LED点灯時に内部の温度が上昇し、放熱板では十分なLEDの冷却が得られないので、LEDの寿命が短くなる問題があった。
【考案の開示】
【考案が解決しようとする課題】
【０００４】
この考案は、このような点に着目してなされたものであり、コンバーターを内装しても、LEDチップの十分な冷却効果を発揮するLEDライトを提供することを目的とする。
【課題を解決するための手段】
【０００５】
上記目的に沿う本考案の構成は、筒状部に放熱板を固定したLEDライト本体と、該LEDライト本体に内装したコンバーターと、口金と該LEDライト本体との間に設けた多数の排気口が形成された放熱体と、前記LEDライト本体の下端若しくはLEDライト本体内に固定したLED板と、該LED板に固定された多数のLEDチップと、該LED板外周に形成した吸気口と、一端を該吸気口に固定し、多端は前記排気口に連通する細長いパイプと、を具備したことを特徴とする。
【０００６】
前記口金と前記LEDライト本体との間には、多数の排気口を有する筒体を介装するのが好ましい（請求項２）。前記口金下端のフランジと前記LEDライト本体上端のフランジとを、前記多数の排気口を有する放熱体を介して連結するのが好ましい（請求項３）。
【０００７】
LED点灯時に前記コンバーターから熱が発生すると、前記LEDライト本体内の熱せられた空気は、前記排気口より排出され、この空気の移動により、前記吸気口から空気が前記細長いパイプ内に流入するようになっている（請求項４）。
【０００８】
前記コンバーターは、着脱可能に内装され、前記筒状部には、コンバーター交換用の扉が形成されているのが好ましい（請求項５）。
【０００９】
前記筒状部は、釣鐘状の空洞の上端に筒状の空洞が連設されている形状とするのが好ましい（請求項６）。
【００１０】
前記LED板を前記LEDライト本体の下端に固定し、前記LEDチップは、LED板下面に固定し、LEDチップ上面に固定したレンズから光が放射するように形成することもできる（請求項７）。
【００１１】
前記LEDライト本体に、カバーを連結し、前記カバーの連結部近傍には吸気口を形成し、前記LED板は、カバーの該吸気口より上方に固定し、該カバー吸気口に前記LED板に固定した細長いパイプを固定することもできる（請求項８）。この場合は、細長いパイプは、前記LED板の吸気口とカバーの吸気口とを連結することになる。前記細長いパイプは、内部を効果的に冷却するため、アルミニウムのような金属で形成するのが好ましい（請求項９）。前記細長いパイプは、４個以上連結するのが好ましい（請求項１０）。
【考案の効果】
【００１２】
本考案によれば、コンバーターを内付けとし、コンバーターにより熱せられた空気が排気口から排出されることにより、空気の移動による煙突効果によって、冷えた外気がスムーズに細長いパイプに流入するので、細長いパイプを介して内部を冷却し、LEDチップを冷却できるから、LEDチップの寿命の低下を防止できる。
【図面の簡単な説明】
【００１３】
【図１】本考案のLEDライトの一実施例を示す（Ａ）平面図、（Ｂ）一部断面側面図、（Ｃ）底面図である。
【符号の説明】
【００１４】
１・・・・・・LEDライト本体
４・・・・・・筒状部（放熱体）
７・・・・・・コンバーター
９・・・・・・口金
１０・・・・・・排気口
１５・・・・・・LED板
１６・・・・・・LEDチップ
１７・・・・・・直流配線
１８・・・・・・交流配線
１９・・・・・・吸気孔
２０・・・・・・細長い筒体
【考案を実施するための最良の形態】
【００１５】
以下、添付図面に従って、本考案の具体例を更に詳細に説明する。
【００１６】
図１は、本考案の一実施例を示すものであり、LEDライト本体１は、釣鐘状の空洞２の上端に筒状の空洞３が連設されている形状の筒状部４外周に、放射状に放熱板５が固定されている。放熱板５には、放熱効果を上げるため、多数の貫通孔６が形成されている。
【００１７】
LEDライト本体１内には、コンバーター７が着脱可能に固定されている。放熱板５と放熱板５との間に、コンバーター交換用扉８が形成されているので、コンバーターの故障が発生した場合に、この扉を開けてコンバーター７を交換することができる。
【００１８】
コンバーター７を着脱可能に固定するには、どのようにしても良いが、例えば、カセットコンロのガスボンベと同じように着脱可能とすればよい。
LEDライト本体１と口金９との間には、外周に多数の排気口１０を形成した筒体１１が固定されている。口金の下端のフランジ１２とライト本体１上端のフランジ１３とをネジ１４で連結することにより固定している。
【００１９】
LEDライト本体１下端に固定されたLED板（アルミ板）１５には、多数のLEDチップ１６が固定され、LEDチップ１６上には、レンズ（図示せず）が固定されている。
【００２０】
家庭用電源から口金９を介して流入した直流配線１７からの交流は、コンバーター７によって、直流に変換され、交流配線１８によって、LEDチップ１６に電通するようになっている。このようにして、LEDの光は、LEDチップ１６上のレンズから放射される。
【００２１】
LED板１５の外周には、多数の吸気孔（この実施例では８個）１９が形成されている。吸気孔１９と排気口１０とを、ストロー状の細長い筒体２０で、空気が連通するように連結されている。細長い筒体２０の材質は、特に限定されないが、例えば、アルミニウムのような金属で形成するのが好ましい。
吸気孔１９と細長い筒体２０の個数は、４個以上とするのが好ましく、特に８個以上とするのが好ましい。
【００２２】
LED点灯時にコンバーターから熱が発生すると、LEDライト本体１内の温度が上昇するので、熱せられた空気は、前記排気口より排気され、その空気の移動により、前記吸気口から外部の空気が細長い筒体２０内に流入するようになっている。このような煙突効果により、外部の空気はスムーズに細長い筒体２０内に流入するので、内部の空気が冷却されるから、LEDチップ１６を効果的に冷却することができる。
【００２３】
上記実施例では、LED板１５から光が放射されるようになっているが、前記LEDライト本体１に、半球状のカバーを連結し、LED板１５は、LEDライト内に固定することもできる。この場合は、カバーの連結部近傍の外周にもストロー状の細長い筒体２０と連通する吸気孔を形成する必要がある。LED板１５は、カバー内の該吸気口より上方に固定する。
【産業上の利用可能性】
【００２４】
本考案によれば、コンバーターを内付けとし、コンバーターにより熱せられた空気が排気口から排出されることにより、煙突効果によって、冷えた外気がスムーズに細長いパイプに流入するので、このパイプを介して内部の空気を冷却し、LEDチップを効果的に冷却でき、LEDチップの寿命の低下を防止できるから、その普及が期待される。
【図１】
0003175586.tif 000003